(57)【要約】【課題】１回の撮像指示によりフラッシュＯＮとフラッシュＯＦＦの２回の撮像を行う場合に、感度を適切に調整し、フラッシュが届いた被写体とフラッシュが届かなかった被写体との間で画像のアンバランスを無くし、更に、画像の記録容量を節約することができる撮像装置及び撮像制御プログラムを提供する。【解決手段】  まず、レリーズスイッチが半押しされてＳ１がオンすると、Ｓ１処理が実行される（ステップＳ１６）。次に、フラッシュがＯＮに設定されるとともに（ステップＳ１８）、撮像感度が高感度に設定される（ステップＳ２０）。そして、レリーズスイッチが全押しされてＳ２がオンすると、フラッシュＯＮで画像が撮像（ステップＳ２２）・記録される（ステップＳ２４）。続いて、フラッシュがＯＦＦに設定されるとともに（ステップＳ２６）、撮像感度が高感度に設定される（ステップＳ２８）。そして、フラッシュＯＦＦで画像が撮像（ステップＳ３０）・記録される（ステップＳ３２）。【選択図】  図２
2011041309.tif 000002
【特許請求の範囲】
【請求項１】
画像の撮像指示を入力するための撮像指示手段と、
前記撮像指示の入力に応じて画像を撮像する撮像手段と、
前記画像の撮像時に被写体を照明する閃光手段と、
１回の撮像指示の入力に応じて、前記閃光手段及び撮像手段を制御して、前記閃光手段により被写体を照明して撮像する閃光撮像と、前記被写体を照明せずに撮像する非閃光撮像の２回の撮像を実行する撮像制御手段と、
前記撮像された画像を記録する画像記録手段と、
前記撮像された画像を前記画像記録手段に記録する際の画像記録モードを設定する画像記録モード設定手段と、
前記閃光撮像により得られた閃光撮像画像と、前記非閃光撮像により得られた非閃光撮像画像のうちいずれか一方を選択するための画像選択手段と、
前記画像記録モードが両方記録モードに設定された場合に、前記閃光撮像画像と前記非閃光撮像画像の両方を前記画像記録手段に記録する一方、前記画像記録モードが記録画像選択モードに設定された場合に、前記閃光撮像画像と前記非閃光撮像画像のうち選択された方を前記画像記録手段に記録する記録制御手段と、
を備えることを特徴とする撮像装置。
【請求項２】
前記画像記録手段の残容量を検出する残容量検出手段を更に備え、
前記画像記録モード設定手段は、前記画像記録手段の残容量が所定値以下の場合に、前記画像記録モードを記録画像選択モードに設定することを特徴とする請求項１記載の撮像装置。
【請求項３】
画像の撮像指示の入力を受け付ける撮像指示機能と、
前記撮像指示の入力に応じて画像を撮像する撮像機能と、
前記画像の撮像時に被写体を照明する閃光機能と、
１回の撮像指示の入力に応じて、被写体を照明して撮像する閃光撮像と、前記被写体を照明せずに撮像する非閃光撮像の２回の撮像を実行する撮像制御機能と、
前記撮像された画像を画像記録手段に記録する画像記録機能と、
前記撮像された画像を前記画像記録手段に記録する際の画像記録モードを設定する画像記録モード設定機能と、
前記閃光撮像により得られた閃光撮像画像と、前記非閃光撮像により得られた非閃光撮像画像のうち少なくとも一方を選択するための画像選択機能と、
前記画像記録モードが両方記録モードに設定された場合に、前記閃光撮像画像と前記非閃光撮像画像の両方を前記画像記録手段に記録する一方、前記画像記録モードが記録画像選択モードに設定された場合に、前記閃光撮像画像と前記非閃光撮像画像のうち選択された方を前記画像記録手段に記録する記録制御機能と、
をコンピュータに実現させることを特徴とする撮像制御プログラム。
【請求項４】
前記画像記録手段の残容量を検出する残容量検出機能を更に備え、
前記画像記録モード設定機能は、前記画像記録手段の残容量が所定値以下の場合に、前記画像記録モードを記録画像選択モードに設定する機能を含むことを特徴とする請求項３記載の撮像制御プログラム。
【発明の詳細な説明】
【技術分野】
【０００１】
本発明は撮像装置及び撮像制御プログラムに係り、特にフラッシュを使用して撮像を行う撮像装置等に関する。
【背景技術】
【０００２】
従来、フラッシュの使用有無を含む撮像条件の組み合わせを予め記憶しておき、１回のシャッターＯＮで上記撮像条件の組み合わせの数だけ連続して撮像・記録を行うデジタルスチルビデオカメラが提案されている（特許文献１）。また、特許文献１には、撮像した画像をメモリカードから読み出して表示し、表示された画像のうち選択された画像以外の記録を削除することが開示されている（段落［００２６］〜［００２７］）。
【先行技術文献】
【特許文献】
【０００３】
【特許文献１】特開平９−１３０６６０号公報
【発明の概要】
【発明が解決しようとする課題】
【０００４】
上記特許文献１では、例えば、フラッシュＯＮとフラッシュＯＦＦの２回の撮像を行う場合、撮像感度が低いと被写体が暗くなったり、逆に撮像感度が高いとフラッシュを浴びた被写体が白く写ってしまう（白飛び）という問題があった。このような事情に鑑み、本発明の第１の目的は、１回の撮像指示によりフラッシュＯＮとフラッシュＯＦＦの２回の撮像を行う場合に、感度を適切に調整することができる撮像装置及び撮像制御プログラムを提供することである。
【０００５】
また、フラッシュＯＮで撮像した画像では、フラッシュが届く範囲にある被写体エリアとフラッシュが届かない背景エリアとの間の色差により、画像がアンバランスになり、ホワイトバランスが正確に行えないという問題があった。従って、本発明の第２の目的は、フラッシュＯＮ撮像した画像において、フラッシュが届いた被写体とフラッシュが届かなかった被写体との間で画像のアンバランスを無くすことである。
【０００６】
また、上記特許文献１では、１回の撮像指示により画像の撮像・記録を複数回行うため、大容量の記録メディアを必要とするという問題があった。従って、本発明の第３の目的は、１回の撮像指示によりフラッシュＯＮとフラッシュＯＦＦの２回の撮像を行う場合に、画像の記録容量を節約することである。
【課題を解決するための手段】
【０００７】
上記課題を解決するために、本発明の第１の態様に係る撮像装置は、画像の撮像指示を入力するための撮像指示手段と、前記撮像指示の入力に応じて画像を撮像する撮像手段と、前記画像の撮像時に被写体を照明する閃光手段と、１回の撮像指示の入力に応じて、前記閃光手段及び撮像手段を制御して、前記閃光手段により被写体を照明して撮像する閃光撮像と、前記被写体を照明せずに撮像する非閃光撮像の２回の撮像を実行させる撮像制御手段と、前記閃光撮像又は非閃光撮像の両方の場合、又は非閃光撮像の場合のみに撮像感度を高くする撮像感度制御手段とを備えることを特徴とする。
【０００８】
上記第１の態様によれば、１回の撮像指示により閃光撮像と非閃光撮像の２回の撮像を行う場合に、閃光撮像と非閃光撮像時の両方、又は非閃光撮像時のみに撮像感度を高感度にすることにより、閃光が届く範囲にある被写体と、閃光が届かない範囲にある背景とを適切な明るさにすることができる。
【０００９】
本発明の第２の態様に係る撮像装置は、画像の撮像指示を入力するための撮像指示手段と、前記撮像指示の入力に応じて画像を撮像する撮像手段と、前記画像の撮像時に被写体を照明する閃光手段と、撮像環境における外光の光量検知を行う外光検知手段と、１回の撮像指示の入力に応じて、前記閃光手段及び撮像手段を制御して、前記閃光手段により被写体を照明して撮像する閃光撮像と、前記被写体を照明せずに撮像する非閃光撮像の２回の撮像を実行させる撮像制御手段と、前記閃光撮像及び非閃光撮像の少なくとも一方の場合において、前記外光の光量に応じて、前記被写体が暗くならないように撮像感度を制御する撮像感度制御手段とを備えることを特徴とする。
【００１０】
上記第２の態様によれば、１回の撮像指示により閃光撮像と非閃光撮像の２回の撮像を行う場合に、閃光撮像と非閃光撮像時の両方、又は非閃光撮像時のみに撮像感度を高感度にすることにより、閃光が届く範囲にある被写体と、閃光が届かない範囲にある背景とを適切な明るさにできるとともに、撮像感度の上げ過ぎによる撮像画像のＳ／Ｎ比の劣化を防止できる。
【００１１】
本発明の第３の態様に係る撮像装置は、上記第２の態様において、前記撮像制御手段は、本撮像に先立って前記閃光手段をプリ発光させ、本撮像に先立って前記撮像手段により前記プリ発光時及び非発光時における画像を取得させ、前記外光検知手段は、前記撮像手段によって取得されたプリ発光時及び非発光時における画像に基づいて前記外光の光量を検知することを特徴とする。
【００１２】
上記第３の態様によれば、本撮影に先立って実行するプリ発光時に、撮像手段を用いて外光の光量を検知することができる。
【００１３】
本発明の第４の態様に係る撮像装置は、画像の撮像指示を入力するための撮像指示手段と、前記撮像指示の入力に応じて画像を撮像する撮像手段と、前記画像の撮像時に被写体を照明する閃光手段と、１回の撮像指示の入力に応じて、前記閃光手段及び撮像手段を制御して、前記閃光手段により被写体を照明して撮像する閃光撮像と、前記被写体を照明せずに撮像する非閃光撮像の２回の撮像を実行させる撮像制御手段と、前記閃光撮像により得られた閃光撮像画像と、前記非閃光撮像により得られた非閃光撮像画像とを合成する画像合成手段とを備えることを特徴とする。
【００１４】
上記第４の態様によれば、１回の撮像指示により閃光撮像と非閃光撮像の２回の撮像を行う場合に、閃光撮像画像と、非閃光撮像画像とを合成することにより、閃光が届いた被写体エリアと、閃光が届かなかった背景エリアとの間の色差による画像のアンバランスを無くすことができる。
【００１５】
本発明の第５の態様に係る撮像装置は、上記第４の態様において、前記画像合成手段は、前記閃光撮像画像から前記閃光手段により照明された被写体画像を含む被写体エリアを取り出すとともに、前記非閃光撮像画像から前記被写体画像を除く背景エリアを取り出して、前記被写体エリアと前記背景エリアを合成することを特徴とする。
【００１６】
上記第５の態様によれば、１回の撮像指示により閃光撮像と非閃光撮像の２回の撮像を行う場合に、閃光撮像画像から取り出した被写体エリアと、非閃光撮像画像から取り出した背景エリアとを合成することにより、閃光が届いた被写体エリアと、閃光が届かなかった背景エリアとの間の色差による画像のアンバランスを無くすことができる。
【００１７】
本発明の第６の態様に係る撮像装置は、画像の撮像指示を入力するための撮像指示手段と、前記撮像指示の入力に応じて画像を撮像する撮像手段と、前記画像の撮像時に被写体を照明する閃光手段と、１回の撮像指示の入力に応じて、前記閃光手段及び撮像手段を制御して、前記閃光手段により被写体を照明して撮像する閃光撮像と、前記被写体を照明せずに撮像する非閃光撮像の２回の撮像を実行させる撮像制御手段と、前記撮像された画像を記録する画像記録手段と、前記撮像された画像を前記画像記録手段に記録する際の画像記録モードを設定する画像記録モード設定手段と、前記閃光撮像により得られた閃光撮像画像と、前記非閃光撮像により得られた非閃光撮像画像のうちいずれか一方を選択するための画像選択手段と、前記画像記録モードが両方記録モードに設定された場合に、前記閃光撮像画像と前記非閃光撮像画像の両方を前記画像記録手段に記録する一方、前記画像記録モードが記録画像選択モードに設定された場合に、前記閃光撮像画像と前記非閃光撮像画像のうち選択された方を前記画像記録手段に記録する記録制御手段とを備えることを特徴とする。
【００１８】
上記第６の態様によれば、１回の撮像指示により閃光撮像と非閃光撮像の２回の撮像を行う場合に、画像記録モードを記録画像選択モードに設定することにより、画像の記録容量を節約することができる。これにより、画像記録手段の空き容量不足のために、１回の撮像指示により２回の撮像を行えなくなる事態を回避し得る。
【００１９】
本発明の第７の態様に係る撮像装置は、上記第６の態様において、前記画像記録手段の残容量を検出する残容量検出手段を更に備え、前記画像記録モード設定手段は、前記画像記録手段の残容量が所定値以下の場合に、前記画像記録モードを記録画像選択モードに設定することを特徴とする。
【００２０】
上記第７の態様によれば、１回の撮像指示により閃光撮像と非閃光撮像の２回の撮像を行う場合に、画像記録手段の空き容量に応じて画像記録モードが自動的に記録画像選択モードに設定されるため、画像の記録容量を節約することができる。これにより、画像記録手段の空き容量不足のために、１回の撮像指示により２回の撮像を行えなくなる事態を回避し得る。
【００２１】
本発明の第８の態様に係る撮像制御プログラムは、画像の撮像指示の入力を受け付ける撮像指示機能と、前記撮像指示の入力に応じて画像を撮像する撮像機能と、前記画像の撮像時に被写体を照明する閃光機能と、１回の撮像指示の入力に応じて、被写体を照明して撮像する閃光撮像と、前記被写体を照明せずに撮像する非閃光撮像の２回の撮像を実行する撮像制御機能と、前記閃光撮像又は非閃光撮像の両方の場合、又は非閃光撮像の場合のみに撮像感度を高くする撮像感度制御機能とをコンピュータに実現させることを特徴とする。
【００２２】
本発明の第９の態様に係る撮像制御プログラムは、画像の撮像指示の入力を受け付ける撮像指示機能と、前記撮像指示の入力に応じて画像を撮像する撮像機能と、前記画像の撮像時に被写体を照明する閃光機能と、撮像環境における外光の光量検知を行う外光検知機能と、１回の撮像指示の入力に応じて、被写体を照明して撮像する閃光撮像と、前記被写体を照明せずに撮像する非閃光撮像の２回の撮像を実行する撮像制御機能と、前記閃光撮像及び非閃光撮像の少なくとも一方の場合において、前記外光の光量に応じて、前記被写体が暗くならないように撮像感度を制御する撮像感度制御機能とをコンピュータに実現させることを特徴とする。
【００２３】
本発明の第１０の態様に係る撮像制御プログラムは、上記第９の態様において、前記撮像制御機能は、本撮像に先立って、プリ発光を行う機能と、本撮像に先立って、前記プリ発光時及び非発光時における画像を取得する機能とを含み、前記外光検知機能は、前記プリ発光時及び非発光時における画像に基づいて前記外光の光量を検知する機能を含むことを特徴とする。
【００２４】
本発明の第１１の態様に係る撮像制御プログラムは、画像の撮像指示の入力を受け付ける撮像指示機能と、前記撮像指示の入力に応じて画像を撮像する撮像機能と、前記画像の撮像時に被写体を照明する閃光機能と、１回の撮像指示の入力に応じて、被写体を照明して撮像する閃光撮像と、前記被写体を照明せずに撮像する非閃光撮像の２回の撮像を実行する撮像制御機能と、前記閃光撮像により得られた閃光撮像画像と、前記非閃光撮像により得られた非閃光撮像画像とを合成する画像合成機能とをコンピュータに実現させることを特徴とする。
【００２５】
本発明の第１２の態様に係る撮像制御プログラムは、上記第１１の態様において、前記画像合成機能は、前記閃光撮像画像から前記閃光機能により照明された被写体画像を含む被写体エリアを取り出す機能と、前記非閃光撮像画像から前記被写体画像を除く背景エリアを取り出す機能と、前記取り出した被写体エリアと前記背景エリアを合成する機能とを含むことを特徴とする。
【００２６】
本発明の第１３の態様に係る撮像制御プログラムは、画像の撮像指示の入力を受け付ける撮像指示機能と、前記撮像指示の入力に応じて画像を撮像する撮像機能と、前記画像の撮像時に被写体を照明する閃光機能と、１回の撮像指示の入力に応じて、被写体を照明して撮像する閃光撮像と、前記被写体を照明せずに撮像する非閃光撮像の２回の撮像を実行する撮像制御機能と、前記撮像された画像を画像記録手段に記録する画像記録機能と、前記撮像された画像を前記画像記録手段に記録する際の画像記録モードを設定する画像記録モード設定機能と、前記閃光撮像により得られた閃光撮像画像と、前記非閃光撮像により得られた非閃光撮像画像のうち少なくとも一方を選択するための画像選択機能と、前記画像記録モードが両方記録モードに設定された場合に、前記閃光撮像画像と前記非閃光撮像画像の両方を前記画像記録手段に記録する一方、前記画像記録モードが記録画像選択モードに設定された場合に、前記閃光撮像画像と前記非閃光撮像画像のうち選択された方を前記画像記録手段に記録する記録制御機能とをコンピュータに実現させることを特徴とする。
【００２７】
本発明の第１４の態様に係る撮像制御プログラムは、上記第１３の態様において、前記画像記録手段の残容量を検出する残容量検出機能を更に備え、前記画像記録モード設定機能は、前記画像記録手段の残容量が所定値以下の場合に、前記画像記録モードを記録画像選択モードに設定する機能を含むことを特徴とする。
【００２８】
上記の各態様に係る撮像制御プログラムを、フラッシュ機能を有する撮像装置に適用することにより、本発明の撮像装置を実現することができる。
【発明の効果】
【００２９】
本発明によれば、１回の撮像指示により閃光撮像と非閃光撮像の２回の撮像を行う場合に、撮像感度を制御することにより、閃光が届く範囲にある被写体と、閃光が届かない範囲にある背景とを適切な明るさにすることができる。また、本発明によれば、閃光撮像画像と、非閃光撮像画像とを合成することにより、閃光が届いた被写体エリアと、閃光が届かなかった背景エリアとの間の色差による画像のアンバランスを無くすことができる。更に、本発明によれば、画像記録モードを記録画像選択モードに設定することにより、画像の記録容量を節約することができる。これにより、画像記録手段の空き容量不足のために、１回の撮像指示により２回の撮像を行えなくなる事態を回避し得る。
【図面の簡単な説明】
【００３０】
【図１】本発明の一実施形態に係る撮像装置の主要構成を示すブロック図
【図２】本発明の第１の実施形態に係る撮像処理の流れを示すフローチャート
【図３】本発明の第２の実施形態に係る撮像処理の流れを示すフローチャート
【図４】本発明の第３の実施形態に係る撮像処理の流れを示すフローチャート
【図５】本発明の第４の実施形態に係る撮像処理の流れを示すフローチャート
【発明を実施するための形態】
【００３１】
以下、添付図面に従って本発明に係る撮像装置及び撮像制御プログラムの好ましい実施の形態について説明する。
【００３２】
［撮像装置の構成］
図１は、本発明の一実施形態に係る撮像装置の主要構成を示すブロック図である。図１に示す撮像装置１０（以下の説明では、カメラ１０と記載する）は、静止画や動画の記録及び再生機能を備えたデジタルカメラであり、カメラ１０全体の動作は中央処理装置（メインＣＰＵ）１２によって統括制御される。メインＣＰＵ１２は、所定のプログラムに従って本カメラシステムを制御する制御手段として機能するとともに、自動露出（ＡＥ）演算、自動焦点調節（ＡＦ）演算、ホワイトバランス（ＷＢ）調整演算等、各種演算を実施する演算手段として機能する。電源回路１４は、本カメラシステムの各ブロックに電源を供給する。
【００３３】
メインＣＰＵ１２には、バス１６を介してＲＯＭ（Read Only Memory）１８及びＥＥＰＲＯＭ（Electronically Erasable and Programmable Read Only Memory）２０が接続されている。ＲＯＭ１８には、メインＣＰＵ１２が実行するプログラム及び制御に必要な各種データ等が格納され、ＥＥＰＲＯＭ２０には、ＣＣＤ画素欠陥情報、カメラ動作に関する各種定数／情報等が格納されている。
【００３４】
また、メモリ（ＳＤＲＡＭ、Synchronous Dynamic Random Access Memory）２２は、プログラムの展開領域及びメインＣＰＵ１２の演算作業用領域として利用されるとともに、画像データや音声データの一時記憶領域として利用される。ＶＲＡＭ（Video Random Access Memory）２４は、画像データ専用の一時記憶メモリであり、Ａ領域２４ＡとＢ領域２４Ｂを含んでいる。なお、メモリ２２とＶＲＡＭ２４は共用することが可能である。
【００３５】
カメラ１０には、モード選択スイッチ、レリーズスイッチ、メニュー／ＯＫキー、十字キー、キャンセルキー、ブラケット撮像スイッチ等の操作部２６が設けられている。操作部２６からの信号はメインＣＰＵ１２に入力される。メインＣＰＵ１２は、操作部２６からの入力信号に基づいてカメラ１０の各回路を制御し、例えば、レンズ駆動制御、撮像動作制御、画像処理制御、画像データの記録／再生制御、画像表示装置２８の表示制御等を行う。
【００３６】
モード選択スイッチは、撮像モードと再生モードとを切り替えるための操作手段である。レリーズスイッチは、撮像開始の指示を入力する操作ボタンであり、半押し時にＯＮするＳ１スイッチと、全押し時にＯＮするＳ２スイッチとを有する２段ストローク式のスイッチで構成されている。メニュー／ＯＫキーは、画像表示装置２８の画面上にメニューを表示させる指令を行うためのメニューボタンとしての機能と、選択内容の確定及び実行等を指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮像時のズームスイッチあるいは再生時の再生ズームスイッチとして機能し、左／右キーは再生モード時のコマ送り（順方向／逆方向送り）ボタンとして機能する。キャンセルキーは、選択項目等所望の対象の消去や指示内容の取消し、あるいは１つ前の操作状態に戻らせる時等に使用される。
【００３７】
ブラケット撮像スイッチは、ブラケット撮像をＯＮに設定する場合に使用する。なお、ブラケット撮像については後述する。
【００３８】
画像表示装置２８は、カラー表示可能な液晶モニタで構成されている。画像表示装置２８（以下の説明では、液晶モニタ２８と記載する）は、撮像時に画角確認用の電子ファインダとして使用できるとともに、記録済み画像を再生表示する手段として利用される。また、液晶モニタ２８は、ユーザインターフェース用の表示画面としても利用され、必要に応じてメニュー情報や選択項目、設定内容等の情報が表示される。液晶モニタに代えて、有機ＥＬ（electro-luminescence）等の他の方式の表示装置を用いることも可能である。
【００３９】
カメラ１０は、メディアソケット（メディア装着部）３０を有し、メディアソケット３０には記録メディア３２を装着することができる。なお、記録メディア３２の形態は特に限定されず、xD-PictureCard（登録商標）、スマートメディア（登録商標）に代表される半導体メモリカード、可搬型小型ハードディスク、磁気ディスク、光ディスク、光磁気ディスク等、種々の媒体を用いることができる。メディアコントローラ３４は、メディアソケット３０に装着される記録メディア３２に適した入出力信号の受渡しを行うために所要の信号変換を行う。
【００４０】
また、カメラ１０は、パーソナルコンピュータその他の外部機器と接続するための通信手段として外部接続インターフェース部（外部接続Ｉ／Ｆ）３６を備えている。カメラ１０は、図示せぬＵＳＢケーブル等を用いてカメラ１０と外部機器を接続することにより、外部機器との間でデータの受渡しが可能となる。もちろん、通信方式はＵＳＢに限らず、IEEE1394やBluetooth（登録商標）、その他の通信方式を適用してもよい。
【００４１】
次に、カメラ１０の撮像機能について説明する。モード選択スイッチによって撮像モードが選択されると、カラーＣＣＤ固体撮像素子３８（以下の説明では、ＣＣＤ３８と記載する）を含む撮像部に電源が供給され、撮像可能な状態（撮像スタンバイ状態）になる。
【００４２】
測光・測距ＣＰＵ４０は、メインＣＰＵ１２と連携して撮像部を制御する制御部である。なお、図１では、２つのＣＰＵ（１２、４０）を搭載した構成を例示したが、本発明の実施に際しては１つのＣＰＵで実現する態様も可能である。
【００４３】
タイミングジェネレータ（ＴＧ）４２は、測光・測距ＣＰＵ４０の指令に従ってＣＣＤ３８、アナログ処理部（ＣＤＳ／ＡＭＰ）４４及びＡ／Ｄ変換器４６に対してタイミング信号を与えており、このタイミング信号によって各回路の同期がとられている。
【００４４】
レンズユニット４８は、フォーカスレンズ５０及びズームレンズ５２を含む撮像レンズ５４と、絞り兼用メカシャッタ５６とを含む光学ユニットである。撮像レンズ５４のフォーカシングは、フォーカスレンズ５０をフォーカスモータ５０Ａによって移動させることにより行われ、ズーミングは、ズームレンズ５２をズームモータ５２Ａによって移動させることにより行われる。フォーカスモータ５０Ａとズームモータ５２Ａは、それぞれフォーカスモータドライバ５０Ｂとズームモータドライバ５２Ｂにより駆動制御される。測光・測距ＣＰＵ４０は、メインＣＰＵ１２からのフォーカス指令及びズーム指令に従って、フォーカスモータドライバ５０Ｂとズームモータドライバ５２Ｂに制御信号を出力し、フォーカスレンズ５０のフォーカス位置及びズームレンズ５２のズーム位置を制御する。
【００４５】
絞り５６は、いわゆるターレット型絞りで構成されており、例えば、Ｆ２．８からＦ８の絞り孔が穿孔されたターレット板を回転させて絞り値（Ｆ値）を変化させる。この絞り５６の駆動はアイリスモータ５６Ａによって行われる。アイリスモータ５６Ａはアイリスモータドライバ５６Ｂにより駆動制御される。測光・測距ＣＰＵ４０は、メインＣＰＵ１２からの指令に従って、アイリスモータドライバ５６Ｂに制御信号を出力し、絞り値を制御する。
【００４６】
レンズ位置センサ５８は、フォーカス位置センサ及びズーム位置センサとを含むブロックである。フォーカスレンズ５０のフォーカス位置及びズームレンズ５２のズーム位置は、レンズ位置センサ５８によって検出される。レンズ位置センサ５８によって検出されたフォーカス位置及びズーム位置の情報は、測光・測距ＣＰＵ４０を経由してメインＣＰＵ１２に送信され、ＥＥＰＲＯＭ２０に書き込まれる。
【００４７】
なお、上記の光学ズームに代えて、又はこれと併用して、電子ズーム（デジタルズーム）機能によるズーム操作も可能である。電子ズーム機能は、画像処理技術によって画像信号を電子的に処理することにより拡大画像を得る機能である。本実施形態のカメラ１０は、選択される記録画素数モードに応じて、画質劣化が生じない範囲で電子ズームによる倍率変更が可能となっている。
【００４８】
記録済みの画像を再生表示する場合においても、電子ズーム機能を活用することができる。再生時の電子ズーム操作では、ズーム倍率の変更のみならず、拡大表示させる表示位置を変更できる。電子ズーム機能によるズーム倍率や表示位置の情報なども、測光・測距ＣＰＵ４０を経由してメインＣＰＵ１２に送信され、ＥＥＰＲＯＭ２０に記録される。
【００４９】
レンズユニット４８を通過した光は、ＣＣＤ３８の受光面に結像される。ＣＣＤ３８の受光面には多数のフォトダイオード（受光素子）が２次元的に配列されており、各フォトダイオードに対応して赤（Ｒ）、緑（Ｇ）、青（Ｂ）の原色カラーフィルタが所定の配列構造で配置されている。ＣＣＤ３８は、各フォトダイオードの電荷蓄積時間（シャッタースピード）を制御する電子シャッター機能を有している。メインＣＰＵ１２は、ＴＧ４２を介してＣＣＤ３８での電荷蓄積時間を制御する。また、メインＣＰＵ１２は、ＣＣＤ３８に対して、ＯＦＤ（Overflow Drain）の電位を制御して、ＣＣＤ３８を構成するフォトダイオードに蓄積される信号電荷の上限値を調整する。
【００５０】
ＣＣＤ３８の受光面に結像された被写体像は、各フォトダイオードによって入射光量に応じた量の信号電荷に変換される。各フォトダイオードに蓄積された信号電荷は、メインＣＰＵ１２の指令に従いＴＧ４２から与えられる駆動パルス（読み出しパルス、垂直転送クロック、水平転送クロック）に基づいて信号電荷に応じた電圧信号（画像信号）として順次読み出される。
【００５１】
ＣＣＤ３８から出力された信号はアナログ処理部（ＣＤＳ／ＡＭＰ）４４に送られ、ここで画素ごとの（点順次の）Ｒ、Ｇ、Ｂ信号がサンプリングホールド（相関２重サンプリング処理）され、増幅された後、Ａ／Ｄ変換器４６に加えられる。このＲ、Ｇ、Ｂ信号の増幅ゲインは、撮像感度（ＩＳＯ感度）に相当し、メインＣＰＵ１２によって設定される。そして、この画素ごとのＲ、Ｇ、Ｂ信号は、Ａ／Ｄ変換器４６によってデジタル信号に変換され、画像入力コントローラ６０を介してメモリ２２に記憶される。
【００５２】
なお、本実施形態では、アナログ処理部４４における増幅ゲインを制御することにより撮像感度を制御するようにしたが、例えば、ＣＣＤ３８の画素信号を複数画素分加算して信号の電荷量を増やすことにより、撮像感度を上げるようにしてもよい。
【００５３】
画像信号処理回路６２は、メモリ２２に記憶されたＲ、Ｇ、Ｂ信号をメインＣＰＵ１２の指令に従って処理する。即ち、画像信号処理回路６２は、同時化回路（単板ＣＣＤのカラーフィルタ配列に伴う色信号の空間的なズレを補間して色信号を同時式に変換する処理回路）、ホワイトバランス調整回路、ガンマ補正回路、輪郭補正回路、輝度・色差信号生成回路等を含む画像処理手段として機能し、メインＣＰＵ１２からのコマンドに従ってメモリ２２を活用しながら所定の信号処理を行う。
【００５４】
メモリ２２に記憶されたＲ、Ｇ、Ｂ信号は、画像信号処理回路６２によって輝度信号（Ｙ信号）及び色差信号（Ｃｒ、Ｃｂ信号）に変換されるとともに、ガンマ補正等の所定の処理が施される。画像信号処理回路６２によって処理された画像データはＶＲＡＭ２４に格納される。
【００５５】
撮像画像を液晶モニタ２８にモニタ出力する場合、ＶＲＡＭ２４から画像データが読み出され、バス１６を介してビデオエンコーダ６４に送られる。ビデオエンコーダ６４は、入力された画像データを表示用の所定方式のビデオ信号（例えば、ＮＴＳＣ方式のカラー複合画像信号）に変換して液晶モニタ２８に出力する。
【００５６】
ＣＣＤ３８から出力される画像信号によって、１コマ分の画像を表す画像データがＶＲＡＭ２４のＡ領域２４ＡとＢ領域２４Ｂとで交互に書き換えられる。ＶＲＡＭ２４のＡ領域２４Ａ及びＢ領域２４Ｂのうち、画像データが書き換えられている方の領域以外の領域から、書き込まれている画像データが読み出される。このようにしてＶＲＡＭ２４内の画像データが定期的に書き換えられ、その画像データから生成される画像信号が液晶モニタ２８に供給されることにより、撮像中の映像がリアルタイムに液晶モニタ２８に表示される。撮像者は、液晶モニタ２８に表示される映像（スルームービー画）によって撮像画角を確認できる。
【００５７】
レリーズスイッチが半押しされ、Ｓ１がオンすると、Ｓ１信号がメインＣＰＵ１２に入力される。メインＣＰＵ１２は、測光・測距ＣＰＵ４０にコマンドを送り、ＡＥ及びＡＦ処理を開始するとともに、記録用の画像を取り込むためのＣＣＤ露光及び読み出し制御を実施する。
【００５８】
ＣＣＤ３８から出力された画像信号はＡ／Ｄ変換後に画像入力コントローラ６０を介してＡＦ検出回路６６並びにＡＥ／ＡＷＢ検出回路６８に入力される。
【００５９】
ＡＥ／ＡＷＢ検出回路６８は、１画面を複数の分割エリア（例えば、８×８又は１６×１６）に分割し、この分割エリアごとにＲＧＢ信号を積算する回路を含み、その積算値をメインＣＰＵ１２に提供する。メインＣＰＵ１２は、ＡＥ／ＡＷＢ検出回路６８から得た積算値に基づいて被写体の明るさ（被写体輝度）を検出し、撮像に適した露出値（撮像ＥＶ値）を算出する。メインＣＰＵ１２は、求めた露出値と所定のプログラム線図に従って、絞り値とシャッタースピードを決定する。メインＣＰＵ１２は、ＡＥ演算の結果に基づいて、測光・測距ＣＰＵ４０にコマンドを送る。測光・測距ＣＰＵ４０は、上記ＡＥ演算の結果に基づいて、絞り５６が適正な絞り値になるように、アイリスモータドライバ５６Ｂを制御する。また、測光・測距ＣＰＵ４０は、上記ＡＥ演算の結果に基づいて、ＴＧ３８を制御し、ＣＣＤ３８の電子シャッターを制御する。これにより、適正な露光量を得る。
【００６０】
更に、測光・測距ＣＰＵ４０は、必要に応じてフラッシュ制御回路７０にコマンドを送り、フラッシュ制御回路７０を動作させる。フラッシュ制御回路７０は、図示しないメインコンデンサの充電制御や、フラッシュ発光部（キセノン管）７２への放電（発光）タイミングの制御等を行う。
【００６１】
また、ＡＥ／ＡＷＢ検出回路６８は、自動ホワイトバランス調整時に、分割エリアごとにＲ、Ｇ、Ｂ信号の色別の平均積算値を算出し、その算出結果をメインＣＰＵ１２に提供する。メインＣＰＵ１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇ軸座標の色空間における分布等に基づいて光源種判別を行い、判別された光源種に応じてホワイトバランス調整回路のＲ、Ｇ、Ｂ信号に対するゲイン値（ホワイトバランスゲイン）を制御し、各色チャンネルの信号に補正をかける。
【００６２】
カメラ１０におけるＡＦ制御は、例えば、画像信号のＧ信号の高周波成分が極大になるようにフォーカスレンズ５０を移動させるコントラストＡＦが適用される。この場合、ＡＦ検出回路６６は、Ｇ信号の高周波成分のみを通過させるハイパスフィルタ、絶対値化処理部、画面内（例えば、画面中央部）にあらかじめ設定されているフォーカス対象エリア内の信号を取り出すＡＦエリア抽出部及びＡＦエリア内の絶対値データを積算する積算部から構成される。
【００６３】
ＡＦ検出回路６６により求められた積算値のデータはメインＣＰＵ１２に通知される。メインＣＰＵ１２は、測光・測距ＣＰＵ４０にコマンドを送信して、フォーカスモータドライバ５０Ｂを制御してフォーカスレンズ５０を移動させながら、複数のＡＦ検出ポイントで焦点評価値（ＡＦ評価値）を演算し、評価値が極大となるレンズ位置を合焦位置として決定する。そして、メインＣＰＵ１２は、ＡＦ演算の結果に基づいて、測光・測距ＣＰＵ４０にコマンドを送る。測光・測距ＣＰＵ４０は、上記ＡＦ演算の結果に基づいて、合焦位置にフォーカスレンズ５０を移動させるようにフォーカスモータドライバ５０Ｂを制御する。ここで、ＡＦ評価値の演算はＧ信号を利用する態様に限らず、輝度信号（Ｙ信号）を利用してもよい。なお、ＡＦ処理後にＳ２オンとなる前に、レリーズボタンの押下が解除されると、ＡＦ処理後のフォーカス位置が維持される。
【００６４】
レリーズスイッチが半押しされ、Ｓ１オンによってＡＥ／ＡＦ処理が行われ、レリーズスイッチが全押しされ、Ｓ２オンによって記録用の撮像動作がスタートする。Ｓ２オンに応動して取得された画像データは画像信号処理回路６２において輝度／色差信号（Ｙ／Ｃ信号）に変換され、ガンマ補正等の所定の処理が施された後、メモリ２２に格納される。
【００６５】
メモリ２２に格納されたＹ／Ｃ信号は、圧縮／伸張回路７４によって所定のフォーマットに従って圧縮された後、メディアコントローラ３４を介して記録メディア３２に記録される。例えば、静止画についてはＪＰＥＧ（Joint Photographic Experts Group）形式の画像ファイルとして記録される。
【００６６】
モード選択スイッチにより再生モードが選択されると、記録メディア３２に記録されている最終の画像ファイル（最後に記録された画像ファイル）の圧縮データが読み出される。最後の記録に係る画像ファイルが静止画ファイルの場合、この読み出された画像圧縮データは、圧縮／伸張回路７４を介して非圧縮のＹ／Ｃ信号に伸張され、画像信号処理回路６２及びビデオエンコーダ６４を介して表示用の信号に変換された後、液晶モニタ２８に出力される。これにより、当該画像ファイルの画像内容が液晶モニタ２８の画面上に表示される。
【００６７】
静止画の１コマ再生中（動画の先頭フレーム再生中も含む）に、十字キーの右キー又は左キーを操作することによって、再生対象の画像ファイルを切り換えること（順コマ送り／逆コマ送り）ができる。コマ送りされた位置の画像ファイルが記録メディア３２から読み出され、上記と同様にして静止画像や動画が液晶モニタ２８に再生表示される。
【００６８】
また、再生モード時に、パーソナルコンピュータやテレビ等の外部ディスプレイがビデオ入出力端子７６を介してカメラ１０に接続されている場合には、記録メディア３２に記録されている画像ファイルはビデオ出力回路７８により処理されて、この外部ディスプレイに再生表示される。
【００６９】
［第１の実施形態］
次に、本発明の第１の実施形態に係る撮像処理について、図２のフローチャートを参照して説明する。まず、モード選択スイッチによって撮像モードが選択されると、電源回路１４から撮像部に電源が供給されて撮像スタンバイ状態になる（ステップＳ１０）。そして、ブラケット撮像の設定がＯＦＦの場合には（ステップＳ１２のＯＦＦ）、通常の撮像が行われる（ステップＳ１４）。
【００７０】
ステップＳ１２において、ブラケット撮像の設定がＯＮの場合、まず、レリーズスイッチが半押しされてＳ１がオンすると、ＡＥ及びＡＦ処理（Ｓ１処理）が実行される（ステップＳ１６）。次に、メインＣＰＵ１２は、測光・測距ＣＰＵ４０にフラッシュＯＮ撮像を行う旨のコマンドを送る。測光・測距ＣＰＵ４０は、フラッシュ制御回路７０にコマンドを送り、フラッシュ制御回路７０を動作させ、フラッシュをＯＮに設定する（ステップＳ１８）。また、メインＣＰＵ１２は、アナログ処理部（ＣＤＳ／ＡＭＰ）４４におけるＲ、Ｇ、Ｂ信号の増幅ゲインを制御して、撮像感度を高感度（例えば、ＩＳＯ４００、ＩＳＯ８００等）に設定する（ステップＳ２０）。そして、レリーズスイッチが全押しされてＳ２がオンすると、フラッシュＯＮ撮像が実行され（ステップＳ２２）、撮像された画像が記録メディア３２に記録される（ステップＳ２４）。
【００７１】
続いて、メインＣＰＵ１２は、測光・測距ＣＰＵ４０にフラッシュＯＦＦ撮像を行う旨のコマンドを送る。測光・測距ＣＰＵ４０は、このコマンドに応じてフラッシュをＯＦＦに設定する（ステップＳ２６）。また、メインＣＰＵ１２は、アナログ処理部（ＣＤＳ／ＡＭＰ）４４におけるＲ、Ｇ、Ｂ信号の増幅ゲインを制御して、撮像感度を高感度（例えば、ＩＳＯ４００、ＩＳＯ８００等）に設定する（ステップＳ２８）。そして、フラッシュＯＦＦ撮像が実行され（ステップＳ３０）、撮像された画像が記録メディア３２に記録される（ステップＳ３２）。
【００７２】
本実施形態によれば、１回の撮像指示によりフラッシュＯＮとフラッシュＯＦＦの２回の撮像を行う場合に、フラッシュＯＮ撮像時とフラッシュＯＦＦ撮像時の両方、又はフラッシュＯＦＦ撮像時のみに撮像感度を高感度にすることにより、フラッシュが届く範囲にある被写体と、フラッシュが届かない範囲にある背景とを適切な明るさにすることができる。
【００７３】
［第２の実施形態］
次に、本発明の第２の実施形態に係る撮像処理について、図３のフローチャートを参照して説明する。まず、モード選択スイッチによって撮像モードが選択されると、電源回路１４から撮像部に電源が供給されて撮像スタンバイ状態になる（ステップＳ５０）。そして、ブラケット撮像の設定がＯＦＦの場合には（ステップＳ５２のＯＦＦ）、通常の撮像が行われる（ステップＳ５４）。
【００７４】
ステップＳ５２において、ブラケット撮像の設定がＯＮの場合、まず、レリーズスイッチが半押しされてＳ１がオンすると、ＡＥ及びＡＦ処理（Ｓ１処理）が実行される（ステップＳ５６）。次に、メインＣＰＵ１２は、測光・測距ＣＰＵ４０にプリ発光を行う旨のコマンドを送る。測光・測距ＣＰＵ４０は、フラッシュ制御回路７０にコマンドを送り、フラッシュ制御回路７０を動作させ、プリ発光を実行する。こうして、ＣＣＤ３８によってプリ発光画像が取得される。また、ＣＣＤ３８によりフラッシュＯＦＦ時の画像が取得される。メインＣＰＵ１２は、上記プリ発光画像及びフラッシュＯＦＦ時の画像から撮像環境下における外光の光量を検知する（ステップＳ５８）。
【００７５】
次に、メインＣＰＵ１２は、上記検知した外光の光量に基づいて、本撮像時におけるフラッシュの発光時間や発光強度を演算して、測光・測距ＣＰＵ４０にフラッシュＯＮ撮像を行う旨のコマンドを送る。測光・測距ＣＰＵ４０は、フラッシュ制御回路７０にコマンドを送り、フラッシュ制御回路７０を動作させ、フラッシュをＯＮに設定するとともに、フラッシュの発光時間等を設定する（ステップＳ６０）。また、メインＣＰＵ１２は、上記検知した外光の光量に基づいて、フラッシュＯＮ撮像時における撮像感度を演算し、アナログ処理部（ＣＤＳ／ＡＭＰ）４４におけるＲ、Ｇ、Ｂ信号の増幅ゲインを制御する（ステップＳ６２）。そして、レリーズスイッチが全押しされてＳ２がオンすると、フラッシュＯＮ撮像が行われて（ステップＳ６４）、撮像された画像が記録メディア３２に記録される（ステップＳ６６）。
【００７６】
続いて、メインＣＰＵ１２は、測光・測距ＣＰＵ４０にフラッシュＯＦＦ撮像を行う旨のコマンドを送る。測光・測距ＣＰＵ４０は、このコマンドに応じてフラッシュをＯＦＦに設定する（ステップＳ６８）。また、メインＣＰＵ１２は、上記検知した外光の光量に基づいて、フラッシュＯＦＦ撮像時における撮像感度を演算し、アナログ処理部（ＣＤＳ／ＡＭＰ）４４におけるＲ、Ｇ、Ｂ信号の増幅ゲインを制御する（ステップＳ７０）。そして、フラッシュＯＦＦ撮像が行われて（ステップＳ７２）、撮像された画像が記録メディア３２に記録される（ステップＳ７４）。
【００７７】
本実施形態によれば、１回の撮像指示によりフラッシュＯＮとフラッシュＯＦＦの２回の撮像を行う場合に、外光の光量に基づいて、フラッシュの発光時間等や、撮像感度を調整することにより、フラッシュが届く範囲にある被写体と、フラッシュが届かない範囲にある背景とを適切な明るさにすることができるとともに、撮像感度の上げ過ぎによる撮像画像のＳ／Ｎ比の劣化を防止できる。
【００７８】
［第３の実施形態］
次に、本発明の第３の実施形態に係る撮像処理について、図４のフローチャートを参照して説明する。まず、モード選択スイッチによって撮像モードが選択されると、電源回路１４から撮像部に電源が供給されて撮像スタンバイ状態になる（ステップＳ８０）。そして、ブラケット撮像の設定がＯＦＦの場合には（ステップＳ８２のＯＦＦ）、通常の撮像が行われる（ステップＳ８４）。
【００７９】
ステップＳ８２において、ブラケット撮像の設定がＯＮの場合、まず、レリーズスイッチが半押しされてＳ１がオンすると、ＡＥ及びＡＦ処理（Ｓ１処理）が実行される（ステップＳ８６）。次に、メインＣＰＵ１２は、測光・測距ＣＰＵ４０にフラッシュＯＮ撮像を行う旨のコマンドを送る。測光・測距ＣＰＵ４０は、フラッシュ制御回路７０にコマンドを送り、フラッシュ制御回路７０を動作させ、フラッシュをＯＮに設定する（ステップＳ８８）。また、メインＣＰＵ１２は、アナログ処理部（ＣＤＳ／ＡＭＰ）４４におけるＲ、Ｇ、Ｂ信号の増幅ゲインを制御して、撮像感度が高感度（例えば、ＩＳＯ４００、ＩＳＯ８００等）に設定する（ステップＳ９０）。
【００８０】
次に、メインＣＰＵ１２は、測光・測距ＣＰＵ４０にプリ発光を行う旨のコマンドを送る。測光・測距ＣＰＵ４０は、フラッシュ制御回路７０にコマンドを送り、フラッシュ制御回路７０を動作させ、プリ発光を実行する（ステップＳ９２）。こうして、ＣＣＤ３８によってプリ発光画像が取得される。メインＣＰＵ１２は、上記プリ発光画像により、被写体から受光した反射光の光量（反射光受光積算データ）を取得して、プリ発光画像においてフラッシュが届いている被写体エリアを特定する（ステップＳ９４）。この被写体エリアの位置情報は、メモリ２２に一時記憶される。また、メインＣＰＵ１２は、プリ発光画像における被写体からの反射光に基づいて、本撮像時のフラッシュの発光時間や発光強度を演算する。
【００８１】
次に、レリーズスイッチが全押しされてＳ２がオンすると、フラッシュＯＮ撮像が実行され（ステップＳ９６）、撮像された画像（フラッシュＯＮ画像）がメモリ２２に記録される（ステップＳ９８）。
【００８２】
続いて、メインＣＰＵ１２は、測光・測距ＣＰＵ４０にフラッシュＯＦＦ撮像を行う旨のコマンドを送る。測光・測距ＣＰＵ４０は、このコマンドに応じてフラッシュをＯＦＦに設定する（ステップＳ１００）。また、メインＣＰＵ１２は、アナログ処理部（ＣＤＳ／ＡＭＰ）４４におけるＲ、Ｇ、Ｂ信号の増幅ゲインを制御して、撮像感度を高感度（例えば、ＩＳＯ４００、ＩＳＯ８００等）に設定する（ステップＳ１０２）。そして、フラッシュＯＦＦ撮像が実行され（ステップ１０４）、撮像された画像（フラッシュＯＦＦ画像）がメモリ２２に記録される（ステップＳ１０６）。
【００８３】
次に、メインＣＰＵ１２は、被写体エリアの位置情報（ステップＳ９４）に基づいて、フラッシュＯＮ画像（ステップＳ９８）から被写体エリアの画像を取り出すとともに、フラッシュＯＦＦ画像（ステップＳ１０６）からフラッシュが届いていないエリア（被写体エリアを除いた背景エリア）の画像を取り出す。そして、メインＣＰＵ１２は、フラッシュＯＮ画像から取り出した被写体エリアの画像と、フラッシュＯＦＦ画像から取り出した背景エリアの画像とを合成して、記録メディア３２に記録する（ステップＳ１０８）。
【００８４】
本実施形態によれば、１回の撮像指示によりフラッシュＯＮとフラッシュＯＦＦの２回の撮像を行って、フラッシュＯＮ画像中の被写体エリアの画像と、フラッシュＯＦＦ画像中の背景エリアの画像とを合成することにより、フラッシュが届いた被写体エリアとフラッシュが届かなかった背景エリアとの間の色差による画像のアンバランスを無くすことができる。
【００８５】
なお、ステップＳ１０８では、被写体エリアと背景エリアを取り出して合成したが、例えば、フラッシュＯＮ画像の被写体エリアとフラッシュＯＦＦ画像の背景エリアの画素に大きな重み付けを与えて、フラッシュＯＮ画像とフラッシュＯＦＦ画像を加算又は加算平均してもよい。
【００８６】
また、本実施形態では、合成された画像とともに、フラッシュＯＮ画像やフラッシュＯＦＦ画像も記録メディア３２に記録するようにしてもよい。
【００８７】
［第４の実施形態］
次に、本発明の第４の実施形態について説明する。本実施形態のカメラ１０は、ブラケット撮像を行う場合に、操作部２６からの操作入力により、ブラケット撮像された画像を両方とも記録メディア３２に記録する両方記録モードと、記録メディア３２の空き容量が少ない場合に、ブラケット撮像された画像の中から記録メディア３２に記録する画像を選択する記録画像選択モードとの間で画像記録モードを切替可能になっている。
【００８８】
図５は、本発明の第４の実施形態に係る撮像処理の流れを示すフローチャートである。まず、モード選択スイッチによって撮像モードが選択されると、電源回路１４から撮像部に電源が供給されて撮像スタンバイ状態になる（ステップＳ１２０）。そして、ブラケット撮像の設定がＯＦＦの場合には（ステップＳ１２２のＯＦＦ）、通常の撮像が行われる（ステップＳ１２４）。
【００８９】
ステップＳ１２２において、ブラケット撮像の設定がＯＮの場合、メインＣＰＵ１２は、画像記録モードの設定を検出する（ステップＳ１２６）。画像記録モードが記録画像選択モードに設定された場合には（ステップＳ１２６のＹｅｓ）、メインＣＰＵ１２は、記録メディア３２の空き容量を検出する（ステップＳ１２８）。記録メディア３２の空き容量が所定値（例えば、１〜数枚）未満の場合には（ステップＳ１２８の小）、次いでステップＳ１３０以降のブラケット撮像処理に進む。
【００９０】
以下、ステップＳ１３０以降のブラケット撮像処理について説明する。まず、レリーズスイッチが半押しされてＳ１がオンすると、ＡＥ及びＡＦ処理（Ｓ１処理）が実行される（ステップＳ１３０）。次に、メインＣＰＵ１２は、測光・測距ＣＰＵ４０にフラッシュＯＮ撮像を行う旨のコマンドを送る。測光・測距ＣＰＵ４０は、フラッシュ制御回路７０にコマンドを送り、フラッシュ制御回路７０を動作させ、フラッシュをＯＮに設定する（ステップＳ１３２）。また、メインＣＰＵ１２は、アナログ処理部（ＣＤＳ／ＡＭＰ）４４におけるＲ、Ｇ、Ｂ信号の増幅ゲインを制御して撮像感度を設定する。そして、レリーズスイッチが全押しされてＳ２がオンすると、フラッシュＯＮ撮像が実行され（ステップＳ１３４）、撮像された画像（フラッシュＯＮ画像）がメモリ２２に一時記憶される（ステップＳ１３６）。
【００９１】
続いて、メインＣＰＵ１２は、測光・測距ＣＰＵ４０にフラッシュＯＦＦ撮像を行う旨のコマンドを送る。測光・測距ＣＰＵ４０は、このコマンドに応じてフラッシュをＯＦＦに設定する（ステップＳ１３８）。また、メインＣＰＵ１２は、アナログ処理部（ＣＤＳ／ＡＭＰ）４４におけるＲ、Ｇ、Ｂ信号の増幅ゲインを制御して撮像感度を設定する。そして、フラッシュＯＦＦ撮像が実行され（ステップＳ１４０）、撮像された画像（フラッシュＯＦＦ画像）がメモリ２２に一時記憶される（ステップＳ１４２）。
【００９２】
次に、メインＣＰＵ１２は、フラッシュＯＮ画像とフラッシュＯＦＦ画像のうち記録メディア３２に記録する画像を選択する選択画面が液晶モニタ２８に表示させる。そして、操作部２６からの入力に基づいて記録する画像が選択されて（ステップＳ１４４）、記録メディア３２に記録される（ステップＳ１４６）。
【００９３】
一方、画像記録モードが両方記録モードに設定された場合（ステップＳ１２６のＮｏ）、及び記録メディア３２の空き容量が所定値以上の場合には（ステップＳ１２８の大）、次いでステップＳ１４８に進む。
【００９４】
なお、ステップＳ１４８からステップＳ１６０は、それぞれ上記ステップＳ１３０からステップＳ１４２と同様である。ステップＳ１５４及びＳ１６０においてメモリ２２に一時記憶されたフラッシュＯＮ画像及びフラッシュＯＦＦ画像は、ともに記録メディア３２に記録される（ステップＳ１６２）。
【００９５】
本実施形態によれば、１回の撮像指示によりフラッシュＯＮとフラッシュＯＦＦの２回の撮像を行う場合に、画像記録モードを記録画像選択モードに設定することにより、画像の記録容量を節約することができる。これにより、記録メディア３２の空き容量不足のために、ブラケット撮像を行えなくなる事態を回避し得る。
【００９６】
なお、ステップＳ１４４において、フラッシュＯＮ画像とフラッシュＯＦＦ画像の両方を選択して記録できるようにしてもよい。また、記録画像選択モード時には、記録メディア３２の空き容量によらず（空き容量が大きい場合にも）、記録する画像を選択するようにしてもよい。
【００９７】
また、本実施形態では、ユーザが画像記録モードを設定するようにしたが、記録メディア３２の空き容量に応じて、画像記録モードが記録画像選択モードに自動的に設定されるようにしてもよい。
【符号の説明】
【００９８】
１０…撮像装置（カメラ）、１２…メインＣＰＵ、１４…電源回路、１６…バス、１８…ＲＯＭ、２０…ＥＥＰＲＯＭ、２２…メモリ（ＳＤＲＡＭ）、２４…ＶＲＡＭ、２６…操作部、２８…画像表示装置（液晶モニタ）、３０…メディアソケット、３２…記録メディア、３４…メディアコントローラ、３６…外部接続インターフェース部（外部接続Ｉ／Ｆ）、３８…ＣＣＤ、４０…測光・測距ＣＰＵ、４２…タイミングジェネレータ（ＴＧ）、４４…アナログ処理部（ＣＤＳ／ＡＭＰ）、４６…Ａ／Ｄ変換器、４８…レンズユニット、５０…フォーカスレンズ、５２…ズームレンズ、５４…撮像レンズ、５６…絞り兼用メカシャッタ、５８…レンズ位置センサ、６０…画像入力コントローラ、６２…画像信号処理回路、６４…ビデオエンコーダ、６６…ＡＦ検出回路、６８…ＡＥ／ＡＷＢ検出回路、７０…フラッシュ制御回路、７２…フラッシュ発光部（キセノン管）、７４…圧縮／伸張回路、７６…ビデオ入出力端子、７８…ビデオ出力回路
【図１】
2011041309.tif 000003
【図２】
2011041309.tif 000004
【図３】
2011041309.tif 000005
【図４】
2011041309.tif 000006
【図５】
2011041309.tif 000007